(57)【要約】      （修正有）【課題】照明・撮影機能を有するランプを提供する。【解決手段】光源設置部１１２ａ及び収納空間１１１ａを含むランプケース１１０と、光源設置部１１２ａに設けられ、回路装置１５０に電気的に接続される少なくとも１つの光源１２０と、ランプケース１１０に設けられ、開口部１３０ａを有するランプハウジング１３０と、回路装置１５０に電気的に接続され、ランプケース１１０又はランプハウジング１３０に固定され、撮影レンズ１４１が開口部１３０ａ内に位置する撮影モジュール１４０と、収納空間１１１ａ内に設けられ、光源１２０及び撮影モジュール１４０を操作するための回路装置１５０と、ランプケース１１０の基端に固定され、回路装置１５０に電気的に連結されるランプキャップ１６０と、を備える。【選択図】図２
0003205665.tif 000002
【実用新案登録請求の範囲】
【請求項１】
光源設置部及び収納空間を含むランプケースと、
前記光源設置部に設けられる少なくとも１つの光源と、
前記ランプケースに設けられ、開口部を有するランプハウジングと、
前記ランプケース又は前記ランプハウジングに固定され、撮影レンズが前記開口部内に位置する撮影モジュールと、
前記収納空間内に設けられ、前記少なくとも１つの光源及び前記撮影モジュールに電気的に接続されており、前記少なくとも１つの光源及び前記撮影モジュールを操作するための回路装置と、
前記ランプケースの基端に固定され、前記回路装置に電気的に連結されるランプキャップと、
を備えるランプ。
【請求項２】
前記ランプケースは、
内部に前記収納空間が位置し、基端に前記ランプキャップが設けられる第１のケースと、
前記第１のケース外に嵌設され、外側面に前記光源設置部が位置する第２のケースと、
前記第２のケースの前記光源設置部に覆設される光透過ケースと、を含む請求項１に記載のランプ。
【請求項３】
前記第２のケースは、熱伝導性金属部材である請求項２に記載のランプ。
【請求項４】
前記ランプハウジングは係合構造を有し、前記撮影モジュールが前記係合構造に固定される請求項１に記載のランプ。
【請求項５】
前記少なくとも１つの光源の照射方向は、前記撮影モジュールの撮影方向と異なる請求項１に記載のランプ。
【請求項６】
前記少なくとも１つの光源の照射方向は、前記撮影モジュールの撮影方向と同じである請求項１に記載のランプ。
【請求項７】
前記光源設置部は、第１の光源設置部及び第２の光源設置部を含み、前記ランプケースは、
内部に前記収納空間が位置し、基端に前記ランプキャップが設けられる第１のケースと、
前記第１のケース外に嵌設され、外側面に前記第１の光源設置部が位置する第２のケースと、
前記第２のケースの前記第１の光源設置部に覆設される光透過ケースと、
前記第２のケースと前記光透過ケースに接続されるセパレータと、を含み、
前記第２の光源設置部は、前記セパレータに設けられ、且つ前記ランプハウジングは、前記第２の光源設置部に覆設されるように前記セパレータに設けられる請求項１に記載のランプ。
【請求項８】
前記ランプケースの頂部に装着空間を有し、前記光源設置部と前記撮影モジュールとが前記装着空間内に設けられる請求項１に記載のランプ。
【請求項９】
前記回路装置は、
外部操作装置からの操作信号及び前記撮影レンズの取得した映像信号を受信する信号受信ユニットと、
前記信号受信ユニット、前記少なくとも１つの光源及び前記撮影モジュールに電気的に接続されており、前記少なくとも１つの光源と前記撮影モジュールを操作するための制御信号を前記操作信号に基づいて生成する制御ユニットと、
前記信号受信ユニットに電気的に接続されており、前記映像信号を映像情報に変換するための映像処理ユニットと、
前記映像情報を記憶するための記憶ユニットと、
前記映像情報を前記外部操作装置に伝送するための伝送ユニットと、
を含む請求項１に記載のランプ。
【請求項１０】
前記撮影モジュールは、音声信号を受信するための音声受信ユニットを更に含み、
前記信号受信ユニットは、前記音声信号を受信することに用いられ、
前記回路装置は、前記信号受信ユニットに電気的に接続され、前記音声信号を音声情報に変換するための音声信号処理ユニットを更に含み、
前記記憶ユニットは、前記音声情報を記憶することに用いられ、
前記伝送ユニットは、前記音声情報を前記外部操作装置に伝送することに用いられる請求項９に記載のランプ。
【請求項１１】
前記信号受信ユニットに電気的に接続される光センサを更に備える請求項９に記載のランプ。
【考案の詳細な説明】
【技術分野】
【０００１】
本考案は、ランプに関し、特に、撮影機能を有するランプに関する。
【背景技術】
【０００２】
普通のランプは、主に照明用途に用いられ、機能が単一である。普通のランプの付加価値を向上させるために、如何に多機能ランプを開発するかは、関連業者の取り込んでいる目標である。
【０００３】
一方、映像機器の普及につれて、現在、多くの家庭又は会社には、監視カメラ等の映像機器が装着されるようになる。しかしながら、従来の映像機器を装着するには、配線を追加する必要があるので、装着が難しいだけではなく、空間全体の美観を損なう。また、光が不十分な場合、一般的な映像機器により撮影される映像の品質に悪影響を与える。
【考案の概要】
【考案が解決しようとする課題】
【０００４】
従って、本考案の目的の一つは、照明・撮影機能を有するランプを提供することにある。
【課題を解決するための手段】
【０００５】
本考案の上記目的によれば、光源設置部及び収納空間を含むランプケースと、光源設置部に設けられる少なくとも１つの光源と、ランプケースに設けられ、開口部を有するランプハウジングと、ランプケース又はランプハウジングに固定され、撮影レンズが開口部内に位置する撮影モジュールと、収納空間内に設けられ、光源及び撮影モジュールに電気的に接続されており、光源及び撮影モジュールを制御するための回路装置と、ランプケースの基端に固定され、回路装置に電気的に連結されるランプキャップと、を備えるランプを提供する。
【０００６】
本考案の一実施例によれば、前記ランプケースは、内部に前記収納空間が位置し、基端にランプキャップが設けられる第１のケースと、第１のケース外に嵌設され、外側面に光源設置部が位置する第２のケースと、第２のケースの光源設置部に覆設される光透過ケースと、を含む。
【０００７】
本考案の別の実施例によれば、前記第２のケースは、熱伝導性金属部材である。
【０００８】
本考案の更に別の実施例によれば、前記ランプハウジングは係合構造を有し、撮影モジュールが係合構造に固定される。
【０００９】
本考案の更にまた別の実施例によれば、前記光源の照射方向は、撮影モジュールの撮影方向と異なる。
【００１０】
本考案の更にまた別の実施例によれば、前記光源の照射方向は、撮影モジュールの撮影方向と同じである。
【００１１】
本考案の更にまた別の実施例によれば、前記光源設置部は、第１の光源設置部及び第２の光源設置部を含み、前記ランプケースは、内部に収納空間が位置し、基端にランプキャップが設けられる第１のケースと、第１のケース外に嵌設され、外側面に第１の光源設置部が位置する第２のケースと、第２のケースの第１の光源設置部に覆設される光透過ケースと、第２のケース及び光透過ケースに接続されるセパレータと、を含み、第２の光源設置部は、セパレータに設けられ、且つランプハウジングは、第２の光源設置部に覆設されるようにセパレータに設けられる。
【００１２】
本考案の更にまた別の実施例によれば、前記ランプケースの頂部に装着空間を有し、光源設置部と撮影モジュールとが装着空間内に設けられる。
【００１３】
本考案の更にまた別の実施例によれば、前記回路装置は、外部操作装置からの操作信号及び撮影レンズの取得した映像信号を受信する信号受信ユニットと、信号受信ユニット、光源及び撮影モジュールに電気的に接続されており、光源と前記撮影モジュールを操作するための制御信号を操作信号に基づいて生成する制御ユニットと、信号受信ユニットに電気的に接続されており、映像信号を映像情報に変換するための映像処理ユニットと、映像情報を記憶するための記憶ユニットと、映像情報を外部操作装置に伝送するための伝送ユニットと、を含む。
【００１４】
本考案の更にまた別の実施例によれば、前記撮影モジュールは、音声信号を受信するための音声受信ユニットを更に含み、信号受信ユニットは、音声信号を受信することに用いられ、回路装置は、信号受信ユニットに電気的に接続され、音声信号を音声情報に変換するための音声信号処理ユニットを更に含み、記憶ユニットは、音声情報を記憶することに用いられ、伝送ユニットは、音声情報を外部操作装置に伝送することに用いられる。
【００１５】
本考案の更にまた別の実施例によれば、前記ランプは、信号受信ユニットに電気的に接続される光センサを更に備える。
【考案の効果】
【００１６】
上記から分かるように、本考案に係るランプは、照明・撮影機能を同時に提供し、且つ被写体環境の輝度を向上させることができる。一方、本考案に係るランプを、携帯電話やコンピュータ等の外部操作装置に接続してもよい。更に、ユーザが外部操作装置によってランプを操作し、且つランプの発光モード又は撮影モードを設定することもできる。
【００１７】
また、本考案に係るランプは、その中の撮影モジュールが内蔵されるような設計であるので、外観が普通のランプと同様であり、空間の視覚効果を損なうことはない。また、本考案に係るランプでは、光源と撮影モジュールとを一体的な構造として組み合わせるので、本考案に係るランプを普通のランプソケットに装着するだけで、撮影及び照明に必要な電力を提供し、更にランプの使いやすさを向上させることができる。
【図面の簡単な説明】
【００１８】
実施例及びその利点を完全に理解させるために、以下、添付図面を参照に合わせて説明する。
【図１】本考案の第１の実施形態に係るランプを示す外観模式図である。
【図２】本考案の第１の実施形態に係るランプを示す断面模式図である。
【図３】本考案の第１の実施形態に係るランプを示す構成ブロック図である。
【図４】本考案の第２の実施形態に係るランプを示す断面模式図である。
【図５】本考案の第２の実施形態に係るランプを示す上面図である。
【図６】本考案の第３の実施形態に係るランプの一部の断面を示す模式図である。
【考案を実施するための形態】
【００１９】
図１及び図２を同時に参照されたい。図１は、本考案の第１の実施形態に係るランプを示す構成模式図である。図２は、本考案の第１の実施形態に係るランプを示す断面模式図である。本実施形態に係るランプ１００は、主に、ランプケース１１０と、少なくとも１つの光源１２０と、ランプハウジング１３０と、撮影モジュール１４０と、回路装置１５０と、ランプキャップ１６０と、を備える。ランプハウジング１３０がランプケース１１０の頂端に設けられる。ランプキャップ１６０がランプケース１１０の基端に固定される。これにより、ランプハウジング１３０、ランプケース１１０及びランプキャップ１６０が共に普通の電球の外形を形成するように結合する。
【００２０】
図１及び図２に示すように、光源１２０がランプケース１１０に設けられる。撮影モジュール１４０がランプハウジング１３０に固定される。回路装置１５０は、光源１２０、撮影モジュール１４０及びランプキャップ１６０に電気的に接続されるように、ランプケース１１０内に設けられる。ランプキャップ１６０は、主に、電力を回路装置１５０、光源１２０及び撮影モジュール１４０に供給するように、ランプソケットに螺合される。
【００２１】
また、図１及び図２を参照されたい。ランプケース１１０は、第１のケース１１１と、第２のケース１１２と、光透過ケース１１３と、を含む。本実施例において、第１のケース１１１は、収納空間１１１ａを有し、回路装置１５０がこの収納空間１１１ａ内に設けられる。第２のケース１１２は、第１のケース１１１外に嵌設され、外側面に光源設置部１１２ａが設けられる。本実施例において、光源１２０が光源設置部１１２ａに設けられる。また、光透過ケース１１３が第２のケース１１２の光源設置部１１２ａにおける光源１２０に覆設されるので、光源１２０から発出する光は、光透過ケース１１３から射出することができる。一例として、第２のケース１１２は、熱伝導性金属部材であってもよい。これにより、光源１２０から発出する熱を直接第２のケース１１２に伝達して外部に放出し、更に放熱効果を達成することができる。
【００２２】
図１〜図３を同時に参照されたい。図３は、本考案の第１の実施形態に係るランプを示す構成ブロック図である。図２に示すように、本実施例において、ランプハウジング１３０は、開口部１３０ａを有し、且つ内部に係合構造１３１を有する。図３に示すように、撮影モジュール１４０は、撮影レンズ１４１及び音声受信ユニット１４２を含む。撮影レンズ１４１と音声受信ユニット１４２は、主に、外部の映像信号及び音声信号を取得することに用いられる。本実施例において、撮影モジュール１４０は、係合構造１３１に固定され、撮影レンズ１４１がランプハウジング１３０の外部に向かって映像を撮影するように開口部１３０ａ内に位置する。図２に示すように、本実施例において、光源１２０が第２のケース１１２の外側面に設けられ、撮影モジュール１４０がランプハウジング１３０に設けられるので、光源１２０の照射方向と撮影モジュール１４０の撮影方向とは異なっている。
【００２３】
再び図１〜図３を参照されたい。一実施例において、回路装置１５０は、互いに電気的に接続される信号受信ユニット１５１、制御ユニット１５２、映像処理ユニット１５３、音声信号処理ユニット１５４、記憶ユニット１５５及び伝送ユニット１５６を含む。本実施例において、信号受信ユニット１５１は、主に、外部操作装置２００からの操作信号を受信することに用いられる。制御ユニット１５２は、信号受信ユニット１５１、光源１２０及び撮影モジュール１４０に電気的に接続されており、光源１２０と撮影モジュール１４０とを操作するための制御信号を操作信号に基づいて生成する。ある例において、外部操作装置２００で生成される操作信号を、ブルートゥース、無線ネットワーク又は有線ネットワークを介して信号受信ユニット１５１に伝送してよい。
【００２４】
再び図１〜図３を参照されたい。信号受信ユニット１５１は、更に、撮影モジュール１４０の撮影レンズ１４１と音声受信ユニット１４２で取得した映像信号及び音声信号を受信することができる。映像処理ユニット１５３は、映像信号を映像情報に変換して、記憶ユニット１５５に記憶することに用いられる。音声信号処理ユニット１５４は、音声信号を音声情報に変換して、記憶ユニット１５５に記憶することに用いられる。本実施例において、伝送ユニット１５６は、ユーザが外部操作装置２００によって映像情報及び音声情報を視聴できるように、ブルートゥース、無線ネットワーク又は有線ネットワークを介して音声情報及び映像情報を外部操作装置２００に伝送する。ある例において、ユーザは、外部操作装置２００によって撮影モジュール１４０の撮影方向を調整してもよい。ある例において、外部操作装置２００としては、携帯電話、タブレットやノートパソコン等の携帯型電子機器、又は普通のデスクトップＰＣ等であってよい。
【００２５】
再び図１〜図３を参照されたい。一実施例において、ランプ１００は、光センサ１７０を更に備える。光センサ１７０は、ランプケース１１０とランプハウジング１３０の外部に設けられ、環境光の強度に応じて検知信号を生成することができる。本実施例において、光センサ１７０が信号受信ユニット１５１に電気的に接続される。信号受信ユニット１５１が検知信号を受信すると、制御ユニット１５２は、検知信号に基づいて光源１２０の輝度を制御することができる。制御ユニット１５２は、例えば、環境が明るい場合、輝度を低減させるように光源１２０を制御し、環境が暗い場合、輝度を向上させるように制御光源１２０を制御することができる。他の実施例において、異なる使用要求を満たすために、ユーザは、外部操作装置２００によって光源１２０の輝度を手動で制御してもよい。
【００２６】
本考案に係るランプは、異なる構造設計を有してもよい。図４及び図５を参照されたい。図４は、本考案の第２の実施形態に係るランプを示す断面模式図である。図５は、本考案の第２の実施形態に係るランプを示す上面図である。本実施形態に係るランプ３００は、上記実施形態に係るランプ１００の構造とほぼ同じであるが、ランプ３００のランプケース３１０が異なる構造設計を有することだけに異なっている。
【００２７】
図４及び図５に示すように、ランプケース３１０は、第１のケース３１１と、第２のケース３１２と、光透過ケース３１３と、セパレータ３１４と、を含む。第１のケース３１１は、収納空間３１１ａを有し、回路装置１５０がこの収納空間３１１ａ内に設けられる。第２のケース３１２は、第１のケース３１１外に嵌設され、外側面に第１の光源設置部３１２ａが設けられる。第１の光源設置部３１２ａに光源３２１が設けられ、光透過ケース３１３が第２のケース３１２の第１の光源設置部３１２ａにおける光源３２１に覆設されるので、光源３２１から発出する光は、光透過ケース３１３から射出することができる。また、セパレータ３１４は、第１のケース３１１と第２のケース３１２の頂端に水平に設けられ、セパレータ３１４のランプハウジング１３０に対向する表面に第２の光源設置部３１４ａが設けられる。第２の光源設置部３１４ａに光源３２２が設けられる。図４及び図５に示すように、本実施例において、第２の光源設置部３１４ａが環状構造であるので、光源３２２は、第２の光源設置部３１４ａに設けられる場合、環状に配列される。ランプハウジング１３０が第２の光源設置部３１４ａにおける光源３２２に覆設されるようにセパレータ３１４に設けられるので、光源３２２から発出する光は、ランプハウジング１３０から射出することができる。これにより、本実施形態に係るランプ３００は、側方向から出光できるだけでなく、撮影モジュール１４０の撮影方向と同じ方向から出光することもできる。
【００２８】
注意すべきなのは、上記実施形態では、ランプとして電球を例として説明したが、それは本考案を限定するものではない。他の実施例において、ランプはスポットライトであってもよい。図６を参照されたい。図６は、本考案の第３の実施形態に係るランプの一部の断面を示す模式図である。
【００２９】
本実施形態に係るランプ４００は、主に、ランプケース４１０と、光源４２０と、ランプハウジング４３０と、撮影モジュール４４０と、回路装置４５０と、ランプキャップ４６０と、を備える。ランプハウジング４３０がランプケース４１０の頂端に設けられる。ランプキャップ４６０がランプケース４１０の基端に固定される。ことにより、ランプハウジング４３０、ランプケース４１０及びランプキャップ４６０が共に普通のスポットライトの外形を形成するように結合する。本実施例において、ランプケース４１０の頂部に装着空間４１１を有する。光源４２０と撮影モジュール４４０とが何れも装着空間４１１に設けられる。一実施例において、装着空間４１１に撮影モジュール４４０を取り囲む環状構造となる光源設置部４１１ａを有するので、光源４２０は、光源設置部４１１ａに設けられる場合、環状に配列される。本実施例において、光源４２０の照射方向が撮影モジュール４４０の撮影方向と同じである。注意すべきなのは、本実施形態の回路装置４５０の構造や機能が上記実施形態の回路装置１５０と同じであるので、ここで繰り返して説明しない。
【００３０】
上記本考案の実施形態から分かるように、本考案に係るランプは、照明・撮影機能を同時に提供し、且つ被写体環境の輝度を向上させることができる。一方、本考案に係るランプを、携帯電話やコンピュータ等の外部操作装置に接続してもよい。更に、ユーザが外部操作装置によってランプを操作し、且つランプの発光モード又は撮影モードを設定することもできる。
【００３１】
また、本考案に係るランプは、その中の撮影モジュールが内蔵されるような設計であるので、外観が普通のランプと同様であり、空間の視覚効果を損なうことはない。また、本考案に係るランプでは、光源と撮影モジュールとを一体的な構造として組み合わせるので、本考案に係るランプを普通のランプソケットに装着するだけで、撮影及び照明に必要な電力を提供し、更にランプの使いやすさを向上させることができる。
【００３２】
本考案の実施形態を前述の通りに開示したが、これは、本考案を限定するものではなく、当業者なら、本考案の精神と範囲から逸脱しない限り、多様の変更や修正を加えることができ、したがって、本考案の保護範囲は、後の実用新案登録請求の範囲で指定した内容を基準とする。
【符号の説明】
【００３３】
１００、３００、４００  ランプ
１１０、３１０、４１０  ランプケース
１１１、３１１  第１のケース
１１１ａ、３１１ａ  収納空間
１１２、３１２  第２のケース
１１２ａ、４１１ａ  光源設置部
１１３、３１３  光透過ケース
１２０、３２１、３２２、４２０  光源
１３０、４３０  ランプハウジング
１３０ａ  開口部
１３１  係合構造
１４０、４４０  撮影モジュール
１４１  撮影レンズ
１４２  音声受信ユニット
１５０、４５０  回路装置
１５１  信号受信ユニット
１５２  制御ユニット
１５３  映像処理ユニット
１５４  音声信号処理ユニット
１５５  記憶ユニット
１５６  伝送ユニット
１６０、４６０  ランプキャップ
１７０  光センサ
２００  外部操作装置
３１２ａ  第１の光源設置部
３１４  セパレータ
３１４ａ  第２の光源設置部
４１１  装着空間
【図１】
0003205665.tif 000003
【図２】
0003205665.tif 000004
【図３】
0003205665.tif 000005
【図４】
0003205665.tif 000006
【図５】
0003205665.tif 000007
【図６】
0003205665.tif 000008